(57)【特許請求の範囲】
【請求項１】
互いに交差する複数の走査線および複数のデータ線と、
前記走査線と前記データ線との交差に対応して設けられた複数の画素回路と、
前記複数の画素回路の各々に対応して設けられ、所定の電位を供給する固定電位配線と、
前記固定電位配線と電気的に接続されるシールド配線と、を有し、
前記複数の画素回路の各々は、
発光素子と、
前記発光素子に流れる電流を制御する駆動トランジスターと、
前記駆動トランジスターのゲート電極と前記データ線との間に接続され、前記走査線に供給される走査信号にしたがって導通状態が制御されるスイッチングトランジスターと、
中継電極と、
を備え、
前記駆動トランジスターの前記ゲート電極は、前記スイッチングトランジスターの能動領域が設けられた層と、前記中継電極が設けられた層の間に位置し、
前記中継電極は、前記中継電極と前記能動領域との間の絶縁膜に設けられた第１コンタクトホールを介して前記能動領域に接続されるとともに、前記中継電極と前記ゲート電極との間の絶縁膜に設けられた第２コンタクトホールを介して前記ゲート電極に接続され、
前記中継電極は、前記駆動トランジスターの前記ゲート電極が設けられた層と、前記データ線が設けられた層の間に位置し、
前記シールド配線は、当該画素回路の隣の画素回路に対応する前記固定電位配線から、当該画素回路の前記データ線の下部まで延設して形成されており、前記シールド配線の少なくとも一部が、前記データ線と交差しており、
前記シールド配線は、前記中継電極と同じ層に設けられ、前記走査線に沿った方向から見て前記中継電極と重なりを有する、
ことを特徴とする電気光学装置。
【請求項２】
前記シールド配線と前記データ線とが交差する領域を交差領域としたとき、前記駆動トランジスターの前記ゲート電極を、前記交差領域の前記データ線の長手方向の幅内に配置した、ことを特徴とする請求項１に記載の電気光学装置。
【請求項３】
第１画素回路を有する第１発光素子と、前記第１発光素子の隣に第１の方向に沿って配置され、第２画素回路を有する第２発光素子と、を備える電気光学装置であって、
前記第１の方向と交差する第２の方向に沿って配置され、前記第１画素回路に電気的に接続された第１固定電位配線と、
前記第２の方向に沿って配置され、前記第１画素回路に電気的に接続された第１データ線と、
前記第２の方向に沿って配置され、前記第２画素回路に電気的に接続された第２固定電位配線と、
前記第２の方向に沿って配置され、前記第２画素回路に電気的に接続された第２データ線と、
前記第１画素回路に電気的に接続され、前記第１発光素子に流れる電流を制御する駆動トランジスターと、
前記第２固定電位配線に接続された配線と、
を有し、
前記第１画素回路は、前記駆動トランジスターのゲート電極と前記第１データ線との間に接続されたスイッチングトランジスターと、前記駆動トランジスターの前記ゲート電極と前記スイッチングトランジスターとを接続する中継電極とを有し、
前記中継電極は、前記第１データ線と前記駆動トランジスターの前記ゲート電極との間の層に配置され、
前記第１データ線及び前記配線は、前記第１の方向及び前記第２の方向に垂直な第３の方向から見て重なりを有し、前記中継電極と前記配線は、前記第１の方向から見て重なりを有することを特徴とする、電気光学装置。
【請求項４】
前記第１発光素子は、第１画素電極と、前記第１画素電極と対向して配置された対向電極と、前記第１画素電極と前記対向電極との間に配置された有機発光層とを含むことを特徴とする、請求項３に記載の電気光学装置。
【請求項５】
前記中継電極は、前記第１の方向から見て前記配線の幅内に配置されていることを特徴とする、請求項３又は請求項４に記載の電気光学装置。
【請求項６】
前記第１発光素子と、前記第２発光素子とは異なる波長の光を出射すべきものであることを特徴とする、請求項３乃至５のいずれか一項に記載の電気光学装置。
【請求項７】
請求項１乃至６のいずれかに記載の電気光学装置を備える
ことを特徴とする電子機器。
【発明の詳細な説明】
【技術分野】
【０００１】
本発明は、例えば画素回路が微細化したときに有効な電気光学装置および電子機器に関する。
【背景技術】
【０００２】
近年、有機発光ダイオード（Organic Light Emitting Diode、以下「ＯＬＥＤ」という）素子などの発光素子を用いた電気光学装置が各種提案されている。この電気光学装置では、走査線とデータ線との交差に対応して、上記発光素子やトランジスターなどを含む画素回路が、表示すべき画像の画素に対応して設けられる構成が一般的である。ＯＬＥＤを用いた画素回路は、一般的に、データ線からデータ信号の入力可否を決定する書き込みトランジスターと、その情報を基にＯＬＥＤに供給する電流量を決定する駆動トランジスターで構成される。また、画素回路は、データ線から供給されたデータ信号を保持する保持容量を備えている。さらに、高画質化を目的に、より多くの素子を利用した技術がある（例えば特許文献１参照）。
【先行技術文献】
【特許文献】
【０００３】
【特許文献１】特開2003-271095号公報
【発明の概要】
【発明が解決しようとする課題】
【０００４】
ところで、上記のような画素回路の構成で実駆動を行うと、データ線の電位変動により、ノイズが発生する。ＯＬＥＤに供給される電流は駆動トランジスターのゲート・ソース間の電圧で定めるため、このノイズが駆動トランジスターのゲートノードやソースノードに影響すると、正確な輝度が表示できずムラなどが発生していた。特に、狭ピッチで画素回路を配置し、ゲートノードに接続された保持容量を大きくできない場合に大きな問題となる。
従来の構造では、寄生容量を介して、データ線のノイズが駆動トランジスターのゲートおよびソースノードに侵入する。これにより、保持容量に蓄積したデータ信号が変化し、駆動トランジスターを介してＯＬＥＤ素子に供給される電流も同様に変化する。この変化量が輝度ムラとして視認され、表示品位低下を招く。
本発明は、上述した事情に鑑みてなされたもので、データ線の電位変動に伴う画質劣化を低減することを解決課題の一つとする。
【課題を解決するための手段】
【０００５】
上記課題を解決するために本発明に係る電気光学装置にあっては、互いに交差する複数の走査線および複数のデータ線と、前記走査線と前記データ線との交差に対応して設けられた複数の画素回路と、前記複数の画素回路の各々に対応して設けられ所定の電位を供給する固定電位配線と、前記固定電位線と電気的に接続されるシールド配線と、を有し、前記複数の画素回路の各々は、発光素子と、前記発光素子に流れる電流を制御する駆動トランジスターと、前記駆動トランジスターのゲートと前記データ線との間に接続され、前記走査線に供給される走査信号にしたがって導通状態が制御されるスイッチングトランジスターと、を備え、前記シールド配線は、当該画素回路の隣の画素回路に対応する固定電位配線から、当該画素回路のデータ線の下部まで延設して形成されており、前記シールド配線の少なくとも一部が、前記データ線と交差していることを特徴とする。
本発明によれば、シールド配線が、隣の画素回路の固定電位配線から、ノイズを発生させるデータ線の下部まで、延設しており、シールド配線は、その少なくとも一部がデータ線と交差している。したがって、この交差箇所において、データ線とシールド配線との間に平行平板容量が形成される。そのため、データ線から駆動トランジスターのゲートへの電界強度が弱まり、データ線から駆動トランジスターのゲートとの間に形成される寄生容量を大幅に削減される。その結果、駆動トランジスターのゲートがデータ線から受けるノイズの影響が軽減され、高い表示品位を得る。なお、シールド線の端部は、データ線より駆動トランジスターのゲートの近くに延設していてもよいし、あるいは、データ線の幅方向の途中まで延設していてもよい。
また、シールド配線自体へのノイズ印加が発生するが、このシールド配線は、次に映像信号を書き込む隣接画素回路の固定電位配線から延設しているため、自画素回路の表示品位の影響は無くなる。また、隣の画素回路がノイズよる変動を受けても、正規の映像信号が次のタイミングで書き込まれるため、表示品位への影響を抑制することができる。
【０００６】
本発明において、前記シールド配線と前記データ線とが交差する領域を交差領域としたとき、前記駆動トランジスターのゲートを、前記交差領域の前記データ線の長手方向の幅内に配置することが好ましい。
この構成においては、交差領域に平行平板容量が形成され、交差領域のデータ線の長手方向の幅内に駆動トランジスターのゲートが配置されるので、平行平板容量の近傍にある保護したい駆動トランジスターのゲートへのデータ線からの電界強度が弱まり、データ線から駆動トランジスターのゲートとの間に形成される寄生容量を大幅に削減し、駆動トランジスターのゲートへのノイズ印加を防止する。
【０００７】
本発明において、前記シールド配線は、前記データ線より下層に形成され、かつ、前記駆動トランジスターのゲートと同層あるいはそれより上層の配線層で形成してもよい。この構成によれば、平行平板容量は、前記配線層とデータ線との間で優先的に形成される。このため、保護したい駆動トランジスターのゲートと同層またはそれより上層の配線層でシールド配線を形成すれば、大部分の寄生容量は、前記平行平板容量として形成されることになり、より高いノイズ抑制効果が得られる。
【０００８】
本発明の電気光学装置にあっては、第１画素回路を有する第１発光素子と、前記第１発光素子の隣に第１の方向に沿って配置され、第２画素回路を有する第２の発光素子と、を備える電気光学装置であって、前記第１の方向と交差する第２の方向に沿って配置され、前記第１画素回路に電気的に接続された第１固定電位配線と、前記第２の方向に沿って配置され、前記第１画素回路に電気的に接続された第１データ線と、前記第２の方向に沿って配置され、前記第２画素回路に電気的に接続された第２固定電位配線と、前記第２の方向に沿って配置され、前記第２画素回路に電気的に接続された第２データ線と、前記第１画素回路に電気的に接続され、前記第１発光素子に流れる電流を制御する駆動トランジスターと、前記第２固定電位配線に接続された配線と、を有し、前記第１データ線及び前記配線は、前記第１の方向及び前記第２の方向に垂直な第３の方向から見て重なることを特徴とする。
本発明によれば、第２画素回路の第２固定電位配線に接続された配線と、ノイズを発生させる第１画素回路の第１データ線とが、第１の方向及び第２の方向に垂直な第３の方向から見て重なっている。したがって、この重なり箇所において、第１データ線と前記配線との間に平行平板容量が形成される。そのため、第１データ線から駆動トランジスターのゲートへの電界強度が弱まり、第１データ線から駆動トランジスターのゲートとの間に形成される寄生容量が大幅に削減される。その結果、駆動トランジスターのゲートが第１データ線から受けるノイズが影響を軽減され、高い表示品位を得る。なお、前記配線の端部は、第１データ線より駆動トランジスターのゲートの近くに延設していてもよいし、あるいは、第１データ線の幅方向の途中まで延設していてもよい。
また、前記配線自体へのノイズ印加が発生するが、前記配線は、次に映像信号を書き込む第２画素回路の第２固定電位配線から延設しているため、自画素回路の表示品位の影響は無くなる。また、第２画素回路がノイズよる変動を受けても、正規の映像信号が次のタイミングで書き込まれるため、表示品位への影響を抑制することができる。
【０００９】
本発明においては、前記第１発光素子は第１画素電極と、前記第１画素電極と対向して配置された対向電極と、前記第１画素電極と前記対向電極との間に配置された有機発光層とを含み、前記第１画素回路は、前記駆動トランジスターのゲート電極と前記第１ゲート線との間にされたスイッチングトランジスターと、前記駆動トランジスターのゲート電極と前記スイッチングトランジスターとを接続する中継電極とを有し、前記中継電極は、前記第１の方向から見て前記配線の幅内に配置してもよい。
この構成においては、前記配線と前記第１データ線との重なり領域に平行平板容量が形成され、駆動トランジスターのゲート電極とスイッチングトランジスターとを接続する中継電極が、第１の方向から見て前記配線の幅内に配置されるので、平行平板容量の近傍にある保護したい駆動トランジスターのゲートへのデータ線からの電界強度が弱まり、第１データ線から駆動トランジスターのゲートとの間に形成される寄生容量を大幅に削減し、駆動トランジスターのゲートへのノイズ印加を防止する。
【００１０】
本発明においては、前記中継電極は、前記データ線と前記駆動トランジスターのゲート電極との間の層に配置するようにしてもよい。また、前記中継電極は、前記駆動トランジスターのゲート電極と同層に配置するようにしてもよい。
さらに、本発明においては、前記第１発光素子と、前記第２発光素子とは異なる波長の光を出射すべきものとしてもよい
なお、本発明は、電気光学装置のほか、電気光学装置の駆動方法や、当該電気光学装置を有する電子機器として概念することも可能である。電子機器としては、典型的にはヘッドマウント・ディスプレイ（ＨＭＤ）や電子ビューファイダーのなどの表示装置が挙げられる。
【図面の簡単な説明】
【００１１】
【図１】本発明の一実施形態に係る電気光学装置の構成を示す斜視図である。
【図２】同電気光学装置の構成を示すブロック図である。
【図３】同電気光学装置における画素回路を示す図である。
【図４】同電気光学装置の動作を示すタイミングチャートである。
【図５】同電気光学装置の画素回路の構成を示す平面図である。
【図６】図５におけるＡ−Ａ’線で破断した構成を示す部分断面図である。
【図７】実施形態等に係る電気光学装置を用いたＨＭＤを示す斜視図である。
【図８】ＨＭＤの光学構成を示す図である。
【発明を実施するための形態】
【００１２】
以下、本発明を実施するための形態について図面を参照して説明する。
【００１３】
＜実施形態＞
図１は、本発明の実施形態に係る電気光学装置１０の構成を示す斜視図である。
電気光学装置１０は、例えばヘッドマウント・ディスプレイにおいて画像を表示するマイクロ・ディスプレイである。電気光学装置１０の詳細については後述するが、複数の画素回路や当該画素回路を駆動する駆動回路などが例えばシリコン基板に形成された有機ＥＬ装置であり、画素回路には、発光素子の一例であるＯＬＥＤが用いられている。
電気光学装置１０は、表示部で開口する枠状のケース７２に収納されるとともに、ＦＰＣ（Flexible Printed Circuits）基板７４の一端が接続されている。ＦＰＣ基板７４には、半導体チップの制御回路５が、ＣＯＦ（Chip On Film）技術によって実装されるとともに、複数の端子７６が設けられて、図示省略された上位回路に接続される。当該上位回路から複数の端子７６を介して画像データが同期信号に同期して供給される。同期信号には、垂直同期信号や、水平同期信号、ドットクロック信号が含まれる。また、画像データは、表示すべき画像の画素の階調レベルを例えば８ビットで規定する。
制御回路５は、電気光学装置１０の電源回路とデータ信号出力回路との機能を兼用するものである。すなわち、制御回路５は、同期信号にしたがって生成した各種の制御信号や各種電位を電気光学装置１０に供給するほか、デジタルの画像データをアナログのデータ信号に変換して、電気光学装置１０に供給する。
【００１４】
図２は、第１実施形態に係る電気光学装置１０の構成を示す図である。この図に示されるように、電気光学装置１０は、走査線駆動回路２０と、データ線駆動回路３０と、表示部１００とに大別される。
このうち、表示部１００には、表示すべき画像の画素に対応した画素回路１１０がマトリクス状に配列されている。詳細には、表示部１００において、ｍ行の走査線１２が図において横方向に延在して設けられ、また、ｎ列のデータ線１４が図において縦方向に延在し、かつ、各走査線１２と互いに電気的な絶縁を保って設けられている。そして、ｍ行の走査線１２とｎ列のデータ線１４との交差部に対応して画素回路１１０が設けられている。このため、本実施形態において画素回路１１０は、縦ｍ行×横ｎ列でマトリクス状に配列されている。
【００１５】
ここで、ｍ、ｎは、いずれも自然数である。走査線１２および画素回路１１０のマトリクスのうち、行（ロウ）を区別するために、図において上から順に１、２、３、…、（ｍ−１）、ｍ行と呼ぶ場合がある。同様にデータ線１４および画素回路１１０のマトリクスの列（カラム）を区別するために、図において左から順に１、２、３、…、ｎ−１、ｎ列と呼ぶ場合がある。
【００１６】
本実施形態では、列毎に給電線１６がデータ線１４に沿ってそれぞれ設けられている。各給電線１６にはリセット電位としての電位Ｖorstが共通に給電されている。
【００１７】
さて、電気光学装置１０には、次のような制御信号が制御回路５によって供給される。詳細には、電気光学装置１０には、走査線駆動回路２０を制御するための制御信号Ｃtr1と、データ線駆動回路３０を制御するための制御信号Ｃtr2とが供給される。
【００１８】
走査線駆動回路２０は、フレームの期間にわたって走査線１２を１行毎に順番に走査するための走査信号を、制御信号Ｃtr1にしたがって生成するものである。ここで、１、２、３、…、（ｍ−１）、ｍ行目の走査線１２に供給される走査信号を、それぞれＧwr(1)、Ｇwr(2)、Ｇwr(3)、…、Ｇwr(m-1)、Ｇwr(m)と表記している。
なお、走査線駆動回路２０は、走査信号Ｇwr(1)〜Ｇwr(m)のほかにも、当該走査信号に同期した各種の制御信号を行毎に生成して表示部１００に供給するが、図２においては図示を省略している。また、フレームの期間とは、電気光学装置１０が１カット（コマ）分の画像を表示するのに要する期間をいい、例えば同期信号に含まれる垂直同期信号の周波数が１２０Ｈｚであれば、その１周期分の８．３ミリ秒の期間である。
【００１９】
また、データ線駆動回路３０は、走査線駆動回路２０によって選択された行に位置する画素回路１１０に対し、当該画素回路１１０の諧調データに応じた電位のデータ信号Ｖd(1)、Ｖd(2)、…、Ｖd(n)が、１、２、…、ｎ列目のデータ線１４に制御回路５によって供給される。
【００２０】
図３を参照して画素回路１１０について説明する。なお、図３には、i行目及び当該ｉ行目の走査線１２と、ｊ列目及び当該ｊ列目に対し右側で隣り合う（ｊ＋１）列目のデータ線１４との交差に対応する２画素分の画素回路１１０が示されている。ここで、ｉは、画素回路１１０が配列する行を一般的に示す場合の記号であって、１以上ｍ以下の整数である。同様に、ｊ、（ｊ＋１）は、画素回路１１０が配列する列を一般的に示す場合の記号であって、１以上ｎ以下の整数である。本実施形態においては、ｉ行目及び当該ｉ行目の走査線１２と、ｊ列目のデータ線１４との交差に対応する画素回路１１０が第１画素回路に相等し、ｉ行目及び当該ｉ行目の走査線１２と、（ｊ＋１）列目のデータ線１４との交差に対応する画素回路１１０が第２画素回路に相等する。即ちｊ列目のデータ線１４が第１データ線であり、（ｊ＋１）列目のデータ線が第２データ線である。
【００２１】
図３に示されるように、画素回路１１０は、ＰチャネルＭＯＳ型のトランジスター１２１〜１２５と、ＯＬＥＤ１３０と、保持容量１３２とを含む。各画素回路１１０については互いに同一構成なので、ｉ行ｊ列に位置するもので代表して説明する。
【００２２】
ｉ行ｊ列の画素回路１１０において、トランジスター１２２は、書き込みトランジスターとして機能するものであり、そのゲートノードはｉ行目の走査線１２に接続され、そのドレインまたはソースノードの一方がｊ列目のデータ線１４に接続され、他方がトランジスター１２１におけるゲートノードｇと、保持容量１３２の一端と、トランジスター１２３のドレインノードとにそれぞれ接続されている。ここで、トランジスター１２１のゲートノードについては、他のノードと区別するためにｇと表記する。
ｉ行目の走査線１２、つまり、トランジスター１２２のゲートノードには、走査信号Ｇwr(i)が供給される。
【００２３】
トランジスター１２１は、駆動トランジスターとして機能するものであり、そのソースノードは給電線１１６に接続され、そのドレインノードがトランジスター１２３のソースノードと、トランジスター１２４のソースノードとにそれぞれ接続されている。ここで、給電線１１６には、画素回路１１０において電源の高位側となる基板電位Ｖelが給電される。
【００２４】
トランジスター１２３は、補償用トランジスターとして機能するものであり、そのゲートノードには制御信号Ｇcmp(i)が供給される。
トランジスター１２４は、発光制御トランジスターとして機能するものであり、そのゲートノードには制御信号Ｇel(i)が供給され、そのドレインノードはトランジスター１２５のソースノードとＯＬＥＤ１３０のアノードとにそれぞれ接続されている。
【００２５】
トランジスター１２５は、初期化用トランジスターとして機能するものであり、そのゲートノードには制御信号Ｇorst(i)が供給され、そのドレインノードはｊ列目に対応した給電線（固定電位配線）１６に接続されて電位Ｖorstに保たれている。
【００２６】
ここで、トランジスター１２１が第１トランジスターに相当し、トランジスター１２２が第２トランジスターに相当し、トランジスター１２３が第３トランジスターに相当する。また、トランジスター１２５が第４トランジスターに相当し、トランジスター１２４が第５トランジスターに相当する。
【００２７】
保持容量１３２の他端は、給電線１１６に接続される。このため、保持容量１３２は、トランジスター１２１のソース・ドレイン間の電圧を保持することになる。なお、保持容量１３２としては、トランジスター１２１のゲートノードｇに寄生する容量を用いても良いし、シリコン基板において互いに異なる導電層で絶縁層を挟持することによって形成される容量を用いても良い。
【００２８】
本実施形態において電気光学装置１０はシリコン基板に形成されるので、トランジスター１２１〜１２５の基板電位については電位Ｖelとしている。
ＯＬＥＤ１３０のアノードは、画素回路１１０毎に個別に設けられる画素電極である。これに対して、ＯＬＥＤ１３０のカソードは、画素回路１１０のすべてにわたって共通の共通電極１１８であり、画素回路１１０において電源の低位側となる電位Ｖctに保たれている。
ＯＬＥＤ１３０は、上記シリコン基板において、アノードと光透過性を有するカソードとで白色有機ＥＬ層を挟持した素子である。そして、ＯＬＥＤ１３０の出射側（カソード側）にはＲＧＢのいずれかに対応したカラーフィルターが重ねられる。
【００２９】
このようなＯＬＥＤ１３０において、アノードからカソードに電流が流れると、アノードから注入された正孔とカソードから注入された電子とが有機ＥＬ層で再結合して励起子が生成され、白色光が発生する。このときに発生した白色光は、シリコン基板（アノード）とは反対側のカソードを透過し、カラーフィルターによる着色を経て、観察者側に視認される構成となっている。
【００３０】
また、本実施形態では、給電線１６に接続され、トランジスター１２１のゲート配線への電界強度の影響を抑制することを目的とした配線（シールド配線）であるシールドパターン１１７が、データ線１４と交差する位置まで延設されており、この交差部において平行平板容量１３４が形成されている。この平行平板容量１３４により、データ線１４からトランジスター１２１のゲート配線への電界強度が弱まり、寄生容量１３３が大幅に削減されることになる。詳しくは後述する。
【００３１】
＜電気光学装置の動作＞
次に、図４を参照して電気光学装置１０の動作について説明する。図４は、電気光学装置１０における各部の動作を説明するためのタイミングチャートである。
この図に示されるように、走査信号Ｇwr(1)〜Ｇwr(m)が順次Ｌレベルに切り替えられて、１フレームの期間において１〜ｍ行目の走査線１２が１水平走査期間（Ｈ）毎に順番に走査される。
１水平走査期間（Ｈ）での動作は、各行の画素回路１１０にわたって共通である。そこで以下については、ｉ行目が水平走査される走査期間において、特にｉ行ｊ列の画素回路１１０について着目して動作を説明する。
【００３２】
本実施形態ではｉ行目の走査期間は、大別すると、図４において（ｂ）で示される初期化期間と（ｃ）で示される補償期間と（ｄ）で示される書込期間とに分けられる。そして、（ｄ）の書込期間の後、間をおいて（ａ）で示されるの発光期間となり、１フレームの期間経過後に再びｉ行目の走査期間に至る。このため、時間の順でいえば、（発光期間）→初期化期間→補償期間→書込期間→（発光期間）というサイクルの繰り返しとなる。
【００３３】
＜発光期間＞
説明の便宜上、初期化期間の前提となる発光期間から説明する。図４に示されるように、ｉ行目の発光期間では、走査信号Ｇwr(i)がＨレベルであり、制御信号Ｇel(i)はＬレベルである。また、論理信号である制御信号Ｇel(i)、Ｇcmp(i)、Ｇorst(i)のうち、制御信号Ｇel(i)がＬレベルであり、制御信号Ｇcmp(i)、Ｇorst(i)がＨレベルである。
このため、図３に示すｉ行ｊ列の画素回路１１０においては、トランジスター１２４がオンする一方、トランジスター１２２、１２３、１２５がオフする。したがって、トランジスター１２１は、ゲート・ソース間の電圧Ｖgsに応じた電流ＩdsをＯＬＥＤ１３０に供給する。後述するように、本実施形態において発光期間での電圧Ｖgsは、トランジスター１２１の閾値電圧から、データ信号の電位に応じてレベルシフトした値である。このため、ＯＬＥＤ１３０には、階調レベルに応じた電流がトランジスター１２１の閾値電圧を補償した状態で供給されることになる。
【００３４】
なお、ｉ行目の発光期間は、ｉ行目以外が水平走査される期間であるから、データ線１４の電位は適宜変動する。ただし、ｉ行目の画素回路１１０においては、トランジスター１２２がオフしているので、ここでは、データ線１４の電位変動を考慮していない。
【００３５】
＜初期化期間＞
次にｉ行目の走査期間に至ると、まず、第１期間として（ｂ）の初期化期間が開始する。初期化期間では、発光期間と比較して、制御信号Ｇel(i)がＨレベルに、制御信号Ｇorst(i)がＬレベルに、それぞれ変化する。
このため、図３に示すｉ行ｊ列の画素回路１１０においてはトランジスター１２４がオフし、トランジスター１２５がオンする。これによってＯＬＥＤ１３０に供給される電流の経路が遮断されるとともに、ＯＬＥＤ１３０のアノードが電位Ｖorstにリセットされる。
ＯＬＥＤ１３０は、上述したようにアノードとカソードとで有機発光層を挟持した構成であるので、アノード・カソードの間には、容量が並列に寄生する。発光期間においてＯＬＥＤ１３０に電流が流れていたときに、当該ＯＬＥＤ１３０のアノード・カソード間の両端電圧が当該容量によって保持されるが、この保持電圧は、トランジスター１２５のオンによってリセットされる。このため、本実施形態では、後の発光期間においてＯＬＥＤ１３０に再び電流が流れるときに、当該容量で保持されている電圧の影響を受けにくくなる。
【００３６】
詳細には、例えば高輝度の表示状態から低輝度の表示状態に転じるときに、リセットしない構成であると、輝度が高い（大電流が流れた）ときの高電圧が保持されてしまうので、次に、小電流を流そうとしても、過剰な電流が流れてしまって、低輝度の表示状態にさせることができなくなる。これに対して、本実施形態では、トランジスター１２５のオンによってＯＬＥＤ１３０のアノードの電位がリセットされるので、低輝度側の再現性が高められることになる。
なお、本実施形態において、電位Ｖorstについては、当該電位Ｖorstと共通電極１１８の電位Ｖctとの差がＯＬＥＤ１３０の発光閾値電圧を下回るように設定される。このため、初期化期間（次に説明する補償期間および書込期間）において、ＯＬＥＤ１３０はオフ（非発光）状態である。
【００３７】
＜補償期間＞
ｉ行目の走査期間では、次に第２期間として（ｃ）の補償期間となる。補償期間では初期化期間と比較して、走査信号Ｇwr(i)および制御信号Ｇcmp(i)がＬレベルとなる。一方、補償期間では、制御信号ＧrefがＨレベルに維持された状態で制御信号／ＧiniがＨレベルになる。
補償期間においてトランジスター１２３がオンするので、トランジスター１２１はダイオード接続となる。このため、トランジスター１２１にはドレイン電流が流れて、ゲートノードｇおよびデータ線１４を充電する。詳細には、電流が、給電線１１６→トランジスター１２１→トランジスター１２３→トランジスター１２２→ｊ列目のデータ線１４という経路で流れる。このため、トランジスター１２１のオンによって互いに接続状態にあるデータ線１４およびゲートノードｇの電位は上昇する。
ただし、上記経路に流れる電流は、トランジスター１２１の閾値電圧を｜Ｖth｜とすると、ゲートノードｇが電位（Ｖel−｜Ｖth｜）に近づくにつれて流れにくくなるので、補償期間の終了に至るまでに、データ線１４およびゲートノードｇは電位（Ｖel−｜Ｖth｜）で飽和する。したがって、保持容量１３２は、補償期間の終了に至るまでにトランジスター１２１の閾値電圧｜Ｖth｜を保持することになる。
【００３８】
＜書込期間＞
初期化期間の後、第３期間として（ｄ）の書込期間に至る。書込期間では、制御信号Ｇcmp(i)がＨレベルになるので、トランジスター１２１のダイオード接続が解除される。ｊ列目のデータ線１４からｉ行ｊ列の画素回路１１０におけるゲートノードｇに至るまでの経路における電位は、保持容量１３２によって（Ｖel−｜Ｖth｜）に維持される。
【００３９】
＜発光期間＞
ｉ行目の書込期間の終了した後、発光期間に至る。この発光期間では、上述したように制御信号Ｇel(i)がＬレベルになるので、ｉ行ｊ列の画素回路１１０においては、トランジスター１２４がオンする。ＯＬＥＤ１３０には、階調レベルに応じた電流がトランジスター１２１の閾値電圧を補償した状態で供給されることになる。
このような動作は、ｉ行目の走査期間において、ｊ列目の画素回路１１０以外のｉ行目の他の画素回路１１０においても時間的に並列して実行される。さらに、このようなｉ行目の動作は、実際には、１フレームの期間において１、２、３、…、（ｍ−１）、ｍ行目の順番で実行されるとともに、フレーム毎に繰り返される。
【００４０】
また、図３において破線で示されるようにデータ線１４と画素回路１１０におけるゲートノードｇとの間には寄生容量１３３が実際には寄生する。このため、データ線１４の電位変化幅が大きいと、当該寄生容量１３３を介してゲートノードｇに伝播し、いわゆるクロストークやムラなどが発生して表示品位を低下させてしまう。当該寄生容量１３３の影響は、画素回路１１０が微細化されたときに顕著に現れる。
しかしながら、本実施形態においては、図３に示すように、給電線１６に接続されたシールドパターン１１７が、データ線１４と交差する位置まで延設されており、この交差部において平行平板容量１３４が形成されている。この平行平板容量１３４により、データ線１４からトランジスター１２１のゲート配線への電界強度が弱まり、寄生容量１３３が大幅に削減されることになる。
本発明のより望ましい構成としては、ノイズを発生させる配線と、ノイズの影響を受けるノードの最近傍あたりで、給電線１６から延設したシールドパターン１１７とデータ線１４を交差させることが好ましい。これにより、電界の影響を大幅に減らすことができる。
さらに、本構成に従うと、シールドパターン１１７自体へのノイズ印加が発生するが、次に映像信号を書き込む隣接画素からシールドパターン１１７を延設しているため、自画素の表示品位の影響は無い。また、隣接画素がノイズによる変動を受けても、正規の映像信号が次のタイミングで書き込まれるため、表示品位に影響しない。
【００４１】
本実施形態によれば、トランジスター１２５をオンさせる期間、すなわちＯＬＥＤ１３０のリセット期間として、走査期間よりも長い期間、例えば２水平走査期間を確保することができるので、発光期間においてＯＬＥＤ１３０の寄生容量に保持された電圧を十分に初期化することができる。
【００４２】
また、本実施形態によれば、トランジスター１２１によってＯＬＥＤ１３０に供給される電流Ｉdsは、閾値電圧の影響が相殺される。このため、本実施形態によれば、トランジスター１２１の閾値電圧が画素回路１１０毎にばらついても、そのばらつきが補償されて、階調レベルに応じた電流がＯＬＥＤ１３０に供給されるので、表示画面の一様性を損なうような表示ムラの発生を抑えられる結果、高品位の表示が可能になる。
【００４３】
さらに、本実施形態によれば、給電線１６に接続されたシールドパターン１１７が、データ線１４と交差する位置まで延設されており、この交差部において平行平板容量１３４が形成されているので、データ線１４からトランジスター１２１のゲート配線への電界強度が弱まり、寄生容量１３３が大幅に削減することができる。その結果、寄生容量１３３を介してゲートノードｇに伝播する、いわゆるクロストークやムラなどの発生を確実に防止して、高品位の表示が可能になる。
【００４４】
＜画素回路の構造＞
次に、この画素回路１１０の構造について、図５および図６を参照して説明する。
図５は、１つの画素回路１１０の構成を示す平面図であり、図６は、図５におけるＡ−Ａ’線で破断した部分断面図である。
なお、図５は、トップエミッションの画素回路１１０を観察側から平面視した場合の配線構造を示しているが、簡略化のために、ＯＬＥＤ１３０における画素電極（陽極）以降に形成される構造体を省略している。また、以下の各図においては、各層、各部材、各領域などを認識可能な大きさとするために、縮尺を異ならせている。
【００４５】
まず、図６に示されるように、基礎となる基板２が設けられている。基板２は、平板状に設けられるが、図５においては、各トランジスターの位置が容易に理解できるように、島状に表している。
基板２には、図６に示されるように、トランジスター１２２およびトランジスター１２３を形成するための能動領域１４０が形成されている。ここで、能動領域とは、ＭＯＳ型トランジスタが形成される領域である。また、この能動領域１４０と同様に、基板２には、図５に示すように、能動領域１４１、１４２、１４３が設けられている。能動領域１４１はトランジスター１２１を構成し、能動領域１４２はトランジスター１２４を構成し、能動領域１４３はトランジスター１２５を構成するものである。
【００４６】
図６に示されるように、能動領域１４０〜１４３のほぼ全面を覆うようにゲート絶縁膜１７が設けられている。ゲート絶縁膜１７の表面には、アルミニウムやポリシリコンなどのゲート配線層が設けられるとともに、当該ゲート配線層をパターニングすることによって、ゲート電極１４４が設けられている。ゲート電極１４４はトランジスター１２１のゲート電極であり、このゲート電極１４４と同じ階層には、図５に示すように、トランジスター１２２のゲート電極１４５、トランジスター１２３のゲート電極１４６、トランジスター１２４のゲート電極１４７およびトランジスター１２５のゲート電極１４８が設けられている。
【００４７】
図６において、ゲート電極１４４またはゲート絶縁膜１７を覆うように第１層間絶縁膜１８が形成されている。第１層間絶縁膜１８の表面には導電性の配線層が成膜されるとともに、当該配線層のパターニングによって中継電極４１が形成されている。また、図５に示すように、この中継電極４１と同階層に、中継電極４２、４３、４４、４５がそれぞれ形成されている。
このうち、中継電極４１は、第１層間絶縁膜１８を開孔するコンタクトホール３１を介してトランジスター１２１のゲート電極１４４に接続されている。また、中継電極４１は、第１層間絶縁膜１８およびゲート絶縁膜１７をそれぞれ開孔するコンタクトホール３２を介してトランジスター１２２およびトランジスター１２３の能動領域１４０に接続されている。
なお、図４において異種の配線層同士が重なる部分において「□」印に「×」印を付した部分がコンタクトホールである。
【００４８】
図５において、中継電極４２の一端は、第１層間絶縁膜１８およびゲート絶縁膜１７をそれぞれ開孔するコンタクトホール３３を介してトランジスター１２２の能動領域１４０に接続される一方、中継電極４２の他端は、後述する第２層間絶縁膜１９を開孔するコンタクトホール３４を介して後述するデータ線１４に接続されている。
中継電極４３の一端は、第１層間絶縁膜１８およびゲート絶縁膜１７をそれぞれ開孔するコンタクトホール３５を介してトランジスター１２１の能動領域１４１に接続される一方、中継電極４３の他端は、第１層間絶縁膜１８およびゲート絶縁膜１７をそれぞれ開孔するコンタクトホール３６を介してトランジスター１２３の能動領域１４０に接続されている。
中継電極４４の一端は、第１層間絶縁膜１８およびゲート絶縁膜１７をそれぞれ開孔するコンタクトホール３７を介してトランジスター１２５の能動領域１４３に接続される一方、中継電極４４の他端は、後述する第２層間絶縁膜１９を開孔するコンタクトホール３８を介して後述する給電線１６に接続されている。
中継電極４５の一端は、第１層間絶縁膜１８およびゲート絶縁膜１７をそれぞれ開孔するコンタクトホール３９を介してトランジスター１２５の能動領域１４３に接続される一方、中継電極４５の他端は、第１層間絶縁膜１８およびゲート絶縁膜１７をそれぞれ開孔するコンタクトホール５０を介してトランジスター１２４の能動領域１４２に接続されている。
【００４９】
また、上述した中継電極４１、４２、４３、４４、４５と同階層には、走査線１２、制御線１１８、１１４、１１５が形成されている。
走査線１２は、第１層間絶縁膜１８を開孔するコンタクトホール５１を介してトランジスター１２２のゲート電極１４５に接続されている。
制御線１１８は、第１層間絶縁膜１８を開孔するコンタクトホール５２を介してトランジスター１２３のゲート電極１４６に接続されている。
制御線１１４は、第１層間絶縁膜１８を開孔するコンタクトホール５３を介してトランジスター１２５のゲート電極１４８に接続されている。
制御線１１５は、第１層間絶縁膜１８を開孔するコンタクトホール５４を介してトランジスター１２４のゲート電極１４７に接続されている。
【００５０】
さらに、上述した中継電極４１、４２、４３、４４、４５と同階層には、図６に示すように、シールドパターン１１７が形成されている。シールドパターン１１７は、平面的に見て、給電線(固定電位配線)１６の下方からデータ線１４の下方に至るまで延設されており、図５に示すように、データ線１４の長手方向の幅も広くなるように形成されている。ここで、平面的に見るとは特許請求の範囲における、第３の方向から見ることである。さらに下方とは給電線（固定電位配線）１６及びデータ線１４の基板２側を指し、データ線１４の長手方向とは特許請求の範囲における第２の方向に対応する。
このようにシールドパターン１１７をデータ線１４と交差するように構成することにより、平行平板容量１３４が形成されることになり、データ線１４から、中継電極４１および中継電極４１と電気的に接続されたトランジスター１２１のゲート電極１４４への電界強度が弱まり、中継電極４１とデータ線１４との間に形成される寄生容量１３３の影響を大幅に削減することができる。
本発明のより望ましい構成としては、ノイズを発生させる配線と、ノイズの影響を受けるノードの最近傍あたりで給電線(固定電位配線)１６から延設したシールドパターンとデータ線１４を交差させることが好ましい。より具体的には、シールドパターン１１７とデータ線１４とが交差する領域を交差領域としたとき、中継電極４１を、交差領域のデータ線１４の長手方向の幅内に配置することが好ましい。この場合、交差領域に平行平板容量１３４が形成され、交差領域のデータ線１４の長手方向の幅内に中継電極４１が配置されるので、平行平板容量１３４の近傍にある保護したいトランジスター１２１のゲートに電気的に接続された中継電極４１へのデータ線１４からの電界強度が弱まり、データ線１４から中継電極４１およびトランジスター１２１のゲートとの間に形成される寄生容量を大幅に削減し、トランジスター１２１のゲートへのノイズ印加を抑制することができる。
さらに、本構成に従うと、シールドパターン１１７を新たな製造工程の追加なしに形成することができるため、コスト増加を防ぐことができる。
本構成により、シールドパターン１１７自体へのノイズ印加が発生するが、点順次操作を採用する場合には、次に映像を書き込む隣の画素からシールドパターン１１７を延設しているため、自画素の表示品位の影響は無い。また、隣の画素がノイズによる変動を受けても、正規の映像信号が次のタイミングで書き込まれるため、表示品位に影響しない。
【００５１】
中継電極４１、４２、４３、４４、４５、および、走査線１２、制御線１１８、１１４、１１５、並びにシールドパターン１１７、または第１層間絶縁膜１８を覆うように第２層間絶縁膜１９が形成されている。第２層間絶縁膜１９の表面には導電性の配線層が成膜されるとともに、当該配線層のパターニングによってデータ線１４および給電線１６ならびに電源線（図示略）への接続部分１１９がそれぞれ形成されている。
このうち、給電線１６は、第２層間絶縁膜１９を開孔するコンタクトホール５５を介してシールドパターン１１７に接続されている。
また、上述したように、給電線１６は、第２層間絶縁膜１９を開孔するコンタクトホール３８を介して中間電極４４に接続されている。
さらに、データ線１４は、第２層間絶縁膜１９を開孔するコンタクトホール３４を介して中間電極４２に接続されている。
また、電源線への接続部分１１９は、第２層間絶縁膜１９、第１層間絶縁膜１８、ゲート絶縁膜１７を開孔するコンタクトホール５６を介してトランジスター１２１の能動領域１４１に接続されている。さらに、電源線への接続部分１１９は、コンタクトホール５７を介して、図５に示す層よりもさらに上層において電源線に接続されている。
【００５２】
なお、図３に示す容量１３２は、上述した給電線１６、データ線１４よりも上層に形成されるが、図示を省略する。
【００５３】
電気光学装置１としての以降の構造については図示省略するが、陽極に画素回路１１０毎に有機ＥＬ材料からなる発光層が積層されるとともに、各画素回路１１０にわたって共通の透明電極が、陰極を兼ねる共通電極１１８として設けられる。これによって、発光素子１５０は、互いに対向する陽極と陰極とで発光層を挟持したＯＬＥＤになり、陽極から陰極に向かって流れる電流に応じた輝度にて発光して、基板２とは反対方向に向かって観察されることになる（トップエミッション構造）。このほかにも、発光層を大気から遮断するための封止ガラスなどが設けられるが、説明は省略する。
また、図５では、ＯＬＥＤ１３０の陽極である画素電極の図示を省略している。
【００５４】
＜応用・変形例＞
本発明は、上述した実施形態や応用例などの実施形態等に限定されるものではなく、例えば次に述べるような各種の変形が可能である。また、次に述べる変形の態様は、任意に選択された一または複数を適宜に組み合わせることもできる。
【００５５】
＜制御回路＞
実施形態において、データ信号を供給する制御回路５については電気光学装置１０とは別体としたが、制御回路５についても、走査線駆動回路２０やデマルチプレクサ３０、レベルシフト回路４０とともに、シリコン基板に集積化しても良い。
【００５６】
＜基板＞
実施形態においては、電気光学装置１０をシリコン基板に集積した構成としたが、他の半導体基板に集積した構成しても良い。また、ポリシリコンプロセスを適用してガラス基板等に形成しても良い。いずれにしても、画素回路１１０が微細化して、トランジスター１２１において、ゲート電圧Ｖgsの変化に対しドレイン電流が指数関数的に大きく変化する構成に有効である。
【００５７】
＜制御信号Ｇcmp(i)＞
実施形態等において、ｉ行目でいえば、書込期間において制御信号Ｇcmp(i)をＨレベルとしたが、Ｌレベルとしても良い。すなわち、トランジスター１２３をオンさせることによる閾値補償とノードゲートｇへの書き込みとを並行して実行する構成としても良い。
【００５８】
＜トランジスターのチャネル型＞
上述した実施形態等では、画素回路１１０におけるトランジスター１２１〜１２５をＰチャネル型で統一したが、Ｎチャネル型で統一しても良い。また、Ｐチャネル型およびＮチャネル型を適宜組み合わせても良い。
【００５９】
＜シールドパターン＞
上述した実施形態では、シールドパターン１１７を保護したいトランジスターのゲート配線と同層に形成する例について説明したが、本発明はこのような構成に限定されるものではなく、ゲート配線よりも上層の配線総でシールドパターン１１７を形成するようにしてもよい。
寄生容量１３３は、ノイズを発生させる配線と、その近傍の保護したいトランジスターのゲート配線との間で優先的に形成される。したがって、保護したいトランジスターのゲート配線と同層あるいはそれより上層の配線でシールドパターン１１７を形成すれば、平行平板容量１３４がノイズを発生させる配線とシールドパターン１１７との間で形成されることとなり、より高いノイズ抑制効果を得ることができる。
【００６０】
＜その他＞
実施形態等では、電気光学素子として発光素子であるＯＬＥＤを例示したが、例えば無機発光ダイオードやＬＥＤ（Light Emitting Diode）など、電流に応じた輝度で発光するものであれば良い。
【００６１】
＜電子機器＞
次に、実施形態等や応用例に係る電気光学装置１０を適用した電子機器について説明する。電気光学装置１０は、画素が小サイズで高精細な表示な用途に向いている。そこで、電子機器として、ヘッドマウント・ディスプレイを例に挙げて説明する。
【００６２】
図７は、ヘッドマウント・ディスプレイの外観を示す図であり、図８は、その光学的な構成を示す図である。
まず、図７に示されるように、ヘッドマウント・ディスプレイ３００は、外観的には、一般的な眼鏡と同様にテンプル３１０や、ブリッジ３２０、レンズ３０１Ｌ、３０１Ｒを有する。また、ヘッドマウント・ディスプレイ３００は、図８に示されるように、ブリッジ３２０近傍であってレンズ３０１Ｌ、３０１Ｒの奥側（図において下側）には、左眼用の電気光学装置１０Ｌと右眼用の電気光学装置１０Ｒとが設けられる。
電気光学装置１０Ｌの画像表示面は、図８において左側となるように配置している。これによって電気光学装置１０Ｌによる表示画像は、光学レンズ３０２Ｌを介して図において９時の方向に出射する。ハーフミラー３０３Ｌは、電気光学装置１０Ｌによる表示画像を６時の方向に反射させる一方で、１２時の方向から入射した光を透過させる。
電気光学装置１０Ｒの画像表示面は、電気光学装置１０Ｌとは反対の右側となるように配置している。これによって電気光学装置１０Ｒによる表示画像は、光学レンズ３０２Ｒを介して図において３時の方向に出射する。ハーフミラー３０３Ｒは、電気光学装置１０Ｒによる表示画像を６時方向に反射させる一方で、１２時の方向から入射した光を透過させる。
【００６３】
この構成において、ヘッドマウント・ディスプレイ３００の装着者は、電気光学装置１０Ｌ、１０Ｒによる表示画像を、外の様子と重ね合わせたシースルー状態で観察することができる。
また、このヘッドマウント・ディスプレイ３００において、視差を伴う両眼画像のうち、左眼用画像を電気光学装置１０Ｌに表示させ、右眼用画像を電気光学装置１０Ｒに表示させると、装着者に対し、表示された画像があたかも奥行きや立体感を持つかのように知覚させることができる（３Ｄ表示）。
【００６４】
なお、電気光学装置１０については、ヘッドマウント・ディスプレイ３００のほかにも、ビデオカメラやレンズ交換式のデジタルカメラなどにおける電子式ビューファインダーにも適用可能である。
【符号の説明】
【００６５】
１０…電気光学装置、１２…走査線、１４…データ線、１６…給電線（固定電位配線）、２０…走査線駆動回路、３０…データ線駆動回路、３０〜３９…コンタクトホール、４１〜４５…中間電極層、５０〜５６…コンタクトホール、１００…表示部、１１０…画素回路、１１４、１１５…制御線給電線、１１６…給電線、１１７…シールドパターン、１１８…制御線、１２１〜１２５…トランジスター、１３０…ＯＬＥＤ、１３２…保持容量、１３３…寄生容量、１３４…平行平板容量、１４０〜１４３…能動領域、１４４〜１４８…ゲート電極、３００…ヘッドマウント・ディスプレイ。
【図１】
0005929136.tif 000002
【図２】
0005929136.tif 000003
【図３】
0005929136.tif 000004
【図４】
0005929136.tif 000005
【図５】
0005929136.tif 000006
【図６】
0005929136.tif 000007
【図７】
0005929136.tif 000008
【図８】
0005929136.tif 000009